(57)【要約】【課題】複数種類の入力処理を特別な切り替え操作無しで行う。【解決手段】本発明のリモコン２は、複数の入力エリアを含んで構成される入力面を備え、該入力面に対するユーザの接触位置を検出するタッチパッド５と、タッチパッド５の入力面に対するユーザの押圧を検出するプッシュＳＷ８と、プッシュＳＷ８がタッチパッド５に対するユーザの押圧を検出したときに、上記複数の入力エリアのうち、タッチパッド２が検出した接触位置が含まれる領域に予め対応付けられたチャンネルに切り替える処理を行うことを指示する命令を生成する制御部１０とを備えているので、座標入力とチャンネル切り替えという２つの入力処理を特別な切り替え操作無しで行うことができる。【選択図】図１
2008140182.tif 000002
【特許請求の範囲】
【請求項１】
複数の領域を含んで構成される入力面に対するユーザの接触位置を検出する第１入力部と、
上記入力面に対するユーザの押圧を検出する第２入力部と、
上記第２入力部がユーザの押圧を検出したときに、上記複数の領域のうち、上記第１入力部が検出した接触位置が含まれる領域に予め対応付けられた第１の処理を行うことを指示する命令を生成する命令生成手段とを備えていることを特徴とする入力装置。
【請求項２】
上記接触位置を示すデータまたは上記第１の処理を行うことを指示する命令を外部の装置へ送信する送信部を備えていることを特徴とする請求項１に記載の入力装置。
【請求項３】
請求項２に記載の入力装置と、該入力装置から受信した上記接触位置を示すデータおよび上記第１の処理を行うことを指示する命令に従って動作する装置とを含むことを特徴とする送受信システム。
【請求項４】
入力装置と受信装置とからなる送受信システムであって、
上記入力装置は、
複数の領域を含んで構成される入力面に対するユーザの接触位置を検出する第１入力部と、
上記入力面に対するユーザの押圧を検出する第２入力部と、
上記第１検出部が検出する上記入力面に対するユーザの接触位置を示すデータ、および第２検出部が検出する上記入力面に対するユーザの押圧を示す信号を上記受信装置に送信する送信部とを備え、
上記受信装置は、
上記入力装置の送信部から送信される上記接触位置を示すデータ、および上記押圧を示す信号を受信する受信部と、
上記入力面に対するユーザの押圧を示す信号を受信したときに、上記受信部が受信した上記接触位置を示すデータに基づいて、上記複数の領域のうち、上記第１入力部が検出した接触位置が含まれる領域に予め対応付けられた第１の処理を行う受信処理手段とを備えていることを特徴とする送受信システム。
【請求項５】
上記受信装置は、上記入力面に対するユーザの接触位置の移動軌跡パターンと、該移動軌跡パターンに対応する第２の処理とを対応付けて記憶している記憶部と、
上記入力装置の送信部から送信される上記接触位置を示すデータに基づき、上記入力面に対するユーザの接触位置の軌跡が、上記移動軌跡パターンに該当するか否かを判定し、上記移動軌跡パターンに該当する場合、該移動軌跡パターンに対応する第２の処理を行う移動軌跡認識処理手段とを備えていることを特徴とする請求項４に記載の送受信システム。
【請求項６】
複数の領域を含んで構成される入力面に対するユーザの接触位置を検出する第１入力部と、
上記入力面に対するユーザの押圧を検出する第２入力部とを備える入力装置の入力処理方法であって、
上記第２入力部がユーザの押圧を検出したときに、上記複数の領域のうち、上記第１入力部が検出した接触位置が含まれる領域に予め対応付けられた第１の処理を行うことを指示する命令を生成するステップを含むことを特徴とする入力処理方法。
【請求項７】
請求項１または２に記載の入力装置を動作させる制御プログラムであって、コンピュータを上記命令生成手段として機能させるための制御プログラム。
【発明の詳細な説明】
【技術分野】
【０００１】
本発明は、複数種類の入力処理を特別な切り替え操作無しで行うことのできる入力装置等に関するものである。
【背景技術】
【０００２】
近年、ＰＣ（パーソナルコンピュータ）を初めとする各種電子機器は、急速に高性能化、多機能化、小型化しており、これらの電子機器に入力指示を行う入力装置にも、電子機器の高性能化、多機能化、小型化に対応すべく、様々な工夫が施されている。
【０００３】
例えば、ＰＣで計算処理等を行う場合、主に数字の入力を行うことになる。このような場合、入力装置としてテンキーが利用されている。テンキーを用いることで容易に、かつスピーディに数字の入力を行うことができる。テンキーは、デスクトップ型のＰＣのキーボードには始めから組み込まれている場合がほとんどである。
【０００４】
一方、ノート型ＰＣでは、小型化のために、テンキーを備えていないものが一般的である。したがって、ノート型ＰＣでテンキー入力を行うためには、外付けのテンキーを利用する必要があるが、外付けのテンキーを利用することは、ノート型ＰＣの小型であるという利点を損なうことにもなる。
【０００５】
また、ノート型ＰＣでは、マウスの代わりにタッチパッドで座標入力するものが一般的であり、一般的にタッチパッドを備えている。そこで、特許文献１では、タッチパッドをテンキーとして利用できるようにすることで、ノート型ＰＣでテンキー入力を可能にしている。
【０００６】
具体的には、特許文献１では、図１２に示すような外観のパーソナルコンピュータ（ノート型ＰＣ）１０１が開示されている。図示のように、特許文献１に開示されているノート型ＰＣは、機能ボタン１０２およびタッチパッド１０３を備えている。また、タッチパッド１０３は、図１３に示すように、４×４の１６区画に分割されており、分割された各区画には、数字や算術記号などがそれぞれ割り当てられている。
【０００７】
特許文献１では、機能ボタン１０２が操作された場合に、タッチパッド１０３からの入力をテンキー入力と判断することにより、ノート型ＰＣにおけるテンキー入力を可能にしている。
【０００８】
すなわち、特許文献１の技術では、タッチパッド１０３という１つの入力装置を用いて、通常の座標入力とテンキー入力との２通りの入力を行えるようにしており、これによりノート型ＰＣの小型であるという利点を損なわずにテンキーを利用することができる。
【０００９】
また、特許文献２では、デスクトップ型ＰＣのキーボードに備えられているテンキー部分をタッチパッドで構成している。そして、キーボード上に設けられた「ＭＯＵＳＥ」キーを押下することで、タッチパッド入力モードとテンキー入力モードとを切り替えるようになっている。
【００１０】
具体的には、特許文献２では、「ＭＯＵＳＥ」キーを押下しているときに、タッチパッドに触れることによって座標入力を行うことができ、「ＭＯＵＳＥ」キーを押下していないときにタッチパッドに触れることによってテンキー入力を行うことができる。
【００１１】
すなわち、特許文献２の技術では、タッチパッドという１つの入力装置を用いて、通常の座標入力とテンキー入力との２通りの入力を行えるようにすることで、マウスを用いる場合と比べて省スペースで座標入力とテンキー入力との両方を行うことを可能にしている。
【特許文献１】特開２０００−２８４９００号公報（２０００年１０月１３日公開）
【特許文献２】特開平１１−１０２２４７号公報（１９９９年４月１３日公開）
【発明の開示】
【発明が解決しようとする課題】
【００１２】
しかしながら、上記従来の構成では、テンキー入力と座標入力との切り替えを行うときに「機能ボタン」や「ＭＯＵＳＥ」キーを操作する必要がある。
【００１３】
すなわち、ノート型ＰＣやＰＣのキーボードには、ただでさえ多くの入力キーが設けられている。その上、さらにテンキー入力への切り替えを行うためのキーを追加した場合、ユーザにとって、どのボタンを押せばテンキー入力と座標入力との切り替えができるのかを把握することは困難な作業となる。つまり、切り替えのためのキーを新たに設けることは、ユーザの操作性という観点から好ましくない。
【００１４】
また、図１３に示すように、タッチパッド１０３に数字や算術記号が記載されている場合、一見、その数字や記号の部分を押すだけでテンキー入力ができるように感じるが、実際には、機能ボタン１０２を操作しなければテンキー入力を行うことができない。
【００１５】
つまり、特許文献１の構成で、ユーザがテンキー入力を行うためには、パーソナルコンピュータ１０１には機能ボタン１０２が備えられていること。そして、機能ボタン１０２を操作した後、タッチパッド１０３に触れることによってテンキー入力ができるということを、マニュアル等を読むなどして予め知っておく必要がある。しかしながら、多くのユーザにとって、分厚いマニュアルを読み込んでテンキー入力の方法を調べることは容易ではない。
【００１６】
これは、ＰＣに限らず、テレビやビデオ、ＤＶＤ（Digital Versatile Disk）等の電子機器全般に言えることである。すなわち、これらの電子機器は、１つの機器で多様な機能を備える多機能化が進んでいるが、その多様な機能を実行指示するために新たな入力キー等を設けると、入力装置が複雑化してユーザの操作性が低下してしまう。
【００１７】
例えば、テレビの視聴ができるＰＣをリモコン（リモートコントローラ）を用いて操作する場合、そのリモコンには、テレビのチャンネル操作用の入力装置（チャンネル選択ボタン等）とＰＣ操作用の入力装置（例えばトラックボール等）とを備える必要がある。
【００１８】
しかしながら、このような多種類のボタンや入力装置を備えたリモコンは、ユーザにとって扱い難いものであった。
【００１９】
すなわち、ＰＣ、テレビ、ビデオ、ＤＶＤ等の電子機器に対して入力操作を行うための入力装置には、その電子機器が備える多様な機能を操作するための複数種類の処理入力を行うことが求められると共に、ユーザが容易に使用できる操作性の良さが求められている。
【００２０】
本発明は、上記の点に鑑みてなされたものであり、その目的は、複数種類の入力処理を特別な切り替え操作無しで行うことのできる入力装置等を実現することにある。
【課題を解決するための手段】
【００２１】
本発明に係る入力装置は、上記課題を解決するために、複数の領域を含んで構成される入力面に対するユーザの接触位置を検出する第１入力部と、上記入力面に対するユーザの押圧を検出する第２入力部と、上記第２入力部がユーザの押圧を検出したときに、上記複数の領域のうち、上記第１入力部が検出した接触位置が含まれる領域に予め対応付けられた第１の処理を行うことを指示する命令を生成する命令生成手段とを備えていることを特徴としている。
【００２２】
また、本発明に係る入力処理方法は、上記課題を解決するために、複数の領域を含んで構成される入力面に対するユーザの接触位置を検出する第１入力部と、上記入力面に対するユーザの押圧を検出する第２入力部とを備える入力装置の入力処理方法であって、上記第２入力部がユーザの押圧を検出したときに、上記複数の領域のうち、上記第１入力部が検出した接触位置が含まれる領域に予め対応付けられた第１の処理を行うことを指示する命令を生成するステップを含むことを特徴としている。
【００２３】
上記の構成によれば、第２入力部への入力を行わないときには、入力面に対するユーザの接触位置の検出のみが行われ、第２入力部への入力を行うときには、第１入力部が検出した接触位置に対応する第１の処理を行うことを指示する命令が生成される。
【００２４】
ここで、第２入力部は、第１入力部の入力面に対する押圧を検出するので、入力面を押下することによって第２入力部への入力を行うことができる。すなわち、上記入力装置および入力処理方法では、入力面に触れることで該入力面に対するユーザの接触位置が検出され、入力面を押下することで第１の処理を行うことを指示する命令が生成される。
【００２５】
したがって、上記入力装置および入力処理方法によれば、特別な切り替え操作を行うことなく、入力面に対するユーザの接触位置の検出処理、および第１の処理という２種類の処理の入力を行うことができる。
【００２６】
また、上記入力装置は、上記接触位置を示すデータまたは上記第１の処理を行うことを指示する命令を外部の装置へ送信する送信部を備えていることが好ましい。
【００２７】
上記の構成によれば、入力装置に入力された入力指示を外部の装置に送信することができる。なお、外部の機器としては、例えば、パーソナルコンピュータやテレビ放送を受信する放送受信装置等、様々な電子機器が適用できる。
【００２８】
また、本発明に係る送受信システムは、上記課題を解決するために、上記入力装置と、該入力装置から受信した上記接触位置を示すデータおよび上記第１の処理を行うことを指示する命令に従って動作する装置とを含むことを特徴としている。
【００２９】
上記の構成によれば、特別な切り替え操作を行うことなく、入力面に対するユーザの接触位置の検出処理および第１の処理という２種類の処理の入力を行い、これら２種類の処理のそれぞれに対応する動作を上記装置に実行させることができる。
【００３０】
また、本発明に係る送受信システムは、上記課題を解決するために、入力装置と受信装置とからなる送受信システムであって、上記入力装置は、複数の領域を含んで構成される入力面に対するユーザの接触位置を検出する第１入力部と、上記入力面に対するユーザの押圧を検出する第２入力部と、上記第１検出部が検出する上記入力面に対するユーザの接触位置を示すデータ、および第２検出部が検出する上記入力面に対するユーザの押圧を示す信号を上記受信装置に送信する送信部とを備え、上記受信装置は、上記入力装置の送信部から送信される上記接触位置を示すデータ、および上記押圧を示す信号を受信する受信部と、上記入力面に対するユーザの押圧を示す信号を受信したときに、上記受信部が受信した上記接触位置を示すデータに基づいて、上記複数の領域のうち、上記第１入力部が検出した接触位置が含まれる領域に予め対応付けられた第１の処理を行う受信処理手段とを備えていることを特徴としている。
【００３１】
上記の構成によれば、ユーザが上記入力装置の入力面に触れると、該入力面に対するユーザの接触位置を示すデータが受信装置に送信される。また、ユーザが上記入力装置の入力面を押下すると、入力面へのユーザの押圧を示す信号が受信装置に送信される。
【００３２】
そして、ユーザが上記入力装置の入力面を押下した場合、受信装置では、受信部が受信した上記接触位置を示すデータから、上記複数の領域のうち、上記第１入力部が検出した接触位置が含まれる領域を割り出し、この領域に予め対応付けられた第１の処理を行う。
【００３３】
また、ユーザが上記入力装置の入力面に触れているが押下はしていない場合、入力面に対するユーザの接触位置を示すデータが受信装置に送信される。この場合、受信装置は、入力面に対するユーザの接触位置を示すデータに基づいて所定の動作を実行することができる。
【００３４】
なお、所定の動作とは、例えば、画面上に表示されているカーソルを移動させる動作や、選択項目を変更する動作、ユーザの接触位置の軌跡を描画する動作など、従来のマウスやタッチパッドによって実行できるような種々の動作である。
【００３５】
すなわち、上記送受信システムによれば、入力面に対するユーザの接触位置の検出処理に対応する動作および第１の処理という２種類の動作を受信装置に実行させることができる。そして、上記２種類の動作のそれぞれを実行させるための入力を行うときには、特別な切り替え操作を行う必要が無い。
【００３６】
また、上記受信装置は、上記入力面に対するユーザの接触位置の移動軌跡パターンと、該移動軌跡パターンに対応する第２の処理とを対応付けて記憶している記憶部と、上記入力装置の送信部から送信される上記接触位置を示すデータに基づき、上記入力面に対するユーザの接触位置の軌跡が、上記移動軌跡パターンに該当するか否かを判定し、上記移動軌跡パターンに該当する場合、該移動軌跡パターンに対応する第２の処理を行う移動軌跡認識処理手段とを備えていることが好ましい。
【００３７】
上記の構成によれば、入力装置の入力面に移動軌跡パターンを入力することによって、入力した移動軌跡パターンに対応する第２の処理が実行される。したがって、受信装置は、入力面に対するユーザの接触位置を示すデータに基づいて行う動作および第１の処理に加えて、さらに第２の処理を実行することができる。なお、移動軌跡パターンとしては、文字や記号、数字などを適用することができる。
【００３８】
そして、これら３種類の動作を実行させるための入力を行う際には、特別な切り替え操作を行う必要が無い。したがって、上記送受信システムによれば、ユーザの操作性を低下させること無く、さらに多様な処理入力を行うことができる。
【００３９】
なお、上記入力装置および送受信システムは、コンピュータによって実現してもよい。この場合、コンピュータを上記各手段として動作させることにより上記入力装置あるいは送受信システムをコンピュータにおいて実現する制御プログラム、およびその制御プログラムを記録したコンピュータ読み取り可能な記録媒体も、本発明の範疇に入る。
【発明の効果】
【００４０】
本発明に係る入力装置は、以上のように、複数の領域を含んで構成される入力面に対するユーザの接触位置を検出する第１入力部と、上記入力面に対するユーザの押圧を検出する第２入力部と、上記第２入力部がユーザの押圧を検出したときに、上記複数の領域のうち、上記第１入力部が検出した接触位置が含まれる領域に予め対応付けられた第１の処理を行うことを指示する命令を生成する命令生成手段とを備えている構成である。
【００４１】
また、本発明に係る入力処理方法は、以上のように、複数の領域を含んで構成される入力面に対するユーザの接触位置を検出する第１入力部と、上記入力面に対するユーザの押圧を検出する第２入力部とを備える入力装置の入力処理方法であって、上記第２入力部がユーザの押圧を検出したときに、上記複数の領域のうち、上記第１入力部が検出した接触位置が含まれる領域に予め対応付けられた第１の処理を行うことを指示する命令を生成するステップを含む構成である。
【００４２】
そして、本発明に係る送受信システムは、以上のように、入力装置と受信装置とからなる送受信システムであって、上記入力装置は、複数の領域を含んで構成される入力面に対するユーザの接触位置を検出する第１入力部と、上記入力面に対するユーザの押圧を検出する第２入力部と、上記第１検出部が検出する上記入力面に対するユーザの接触位置を示すデータ、および第２検出部が検出する上記入力面に対するユーザの押圧を示す信号を上記受信装置に送信する送信部とを備え、上記受信装置は、上記入力装置の送信部から送信される上記接触位置を示すデータ、および上記押圧を示す信号を受信する受信部と、上記入力面に対するユーザの押圧を示す信号を受信したときに、上記受信部が受信した上記接触位置を示すデータに基づいて、上記複数の領域のうち、上記第１入力部が検出した接触位置が含まれる領域に予め対応付けられた第１の処理を行う受信処理手段とを備えている構成である。
【００４３】
したがって、本発明の入力装置、入力処理方法、または送受信システムによれば、複数の入力処理を特別な切り替え操作無しで行うことができるという効果を奏する。
【発明を実施するための最良の形態】
【００４４】
〔実施の形態１〕
本発明の一実施形態について図１ないし図８に基づいて説明すると以下の通りである。
【００４５】
〔送受信システム１の概要〕
まず、図２および図３に基づいて、本発明の概要について説明する。図２は、本発明の送受信システム１の概要を示す平面図である。図示のように、リモコン（入力装置）２から放送受信装置３へとＩＲ（Infrared Ray、例えばIrSimple）信号が送信される。そして、放送受信装置３では、受信したＩＲ信号に基づいて処理が行われる。
【００４６】
放送受信装置３は、図示のように、表示画面４が２分割されており、一方にはＰＣ（パーソナルコンピュータ）画面が表示され、他方にはＴＶ（テレビ）画面が表示されている。すなわち、放送受信装置３はＰＣ機能とＴＶ機能との両方を備えており、ＰＣを動作させながらテレビ放送を視聴できるようになっている。
【００４７】
リモコン２は、図示のように、その上面（リモコン２のユーザが操作を行う側の面）に、座標入力を行うためのタッチパッド（第１入力部）５、および放送受信装置３の電源ＯＮ／ＯＦＦの切り替えを行うための電源ボタン７を備えている。
【００４８】
また、タッチパッド５は、４×３の１２区画に区切られており、各区画にはそれぞれ１〜１２までの数字が付されている。以下、この１２区画をそれぞれ入力エリア（１）〜（１２）と呼ぶ。リモコン２では、入力エリア（１）〜（１２）に、それぞれテレビ放送の１〜１２チャンネルが対応付けられている。
【００４９】
そして、リモコン２の側面（リモコン２の操作時に放送受信装置３に向ける側の面）にはＩＲ発信部６が設けられており、ＩＲ発信部６からＩＲ信号が送信される。
【００５０】
また、図３に示すように、タッチパッド５の下方（リモコン２の内部側）には、プッシュＳＷ（スイッチ）８が設けられている。タッチパッド５はプッシュＳＷ（第２入力部）８の方向に可動であり、タッチパッド５の押下に連動してプッシュＳＷ８が押下されるようになっている。
【００５１】
図３は、リモコン２の断面の概略構成を示す図であり、同図（ａ）は、タッチパッド５に触れているときのプッシュＳＷ８の状態を示しており、同図（ｂ）は、タッチパッド５を押下したときのプッシュＳＷ８の状態を示している。
【００５２】
すなわち、リモコン２では、タッチパッド５に触れただけではプッシュＳＷ８は押下されず、タッチパッド５を押下することによってタッチパッド５に連動してプッシュＳＷ８が押下されるようになっている。
【００５３】
リモコン２では、タッチパッド５に触れることで座標入力を行うことができ、これによって例えばＰＣ画面上のカーソルを移動させる等の処理を放送受信装置３に実行させることができる。
【００５４】
また、リモコン２では、入力エリアに触れてそのままタッチパッド５を押下することにより、放送受信装置３のチャンネルを切り替えることができる。例えば、入力エリア（１）に触れ、そのままタッチパッド５を押下すると、リモコン２からチャンネルを「１」に切り替える指示が放送受信装置３へと送られる。そして、この指示を受けた放送受信装置３でチャンネルが「１」に切り替えられる。
【００５５】
さらに、リモコン２は、タッチパッド５に所定のジェスチャパターンを入力することで、そのジェスチャパターンに対応する動作を放送受信装置３に実行させるジェスチャ入力機能を備えている。ジェスチャ入力については後述する。
【００５６】
すなわち、本発明のリモコン２では、従来のテレビ用リモコンと同様に、変更したいチャンネルに対応する位置でタッチパッド５を押下することでテレビのチャンネルを変更することができる。それゆえ、本発明のリモコン２のユーザは、従来のリモコンと同じ感覚でリモコン２を使用することができる。
【００５７】
また、リモコン２では、タッチパッド５に触れることで座標入力を行うことができるが、座標入力を行う場合と、チャンネル入力を行う場合とで、特別な切り替え動作等を行う必要はない。切り替え動作を行う必要が無いので、当然のことながら、リモコン２の操作面には切り替えキー等の余分なキーが増えることもない。
【００５８】
すなわち、リモコン２は、特別な切り替え操作を行うことなく、ただタッチパッド５に触れるだけで座標入力を行うことができるので、誰でも簡単に座標入力を行うことができる。
【００５９】
さらに、リモコン２では、座標入力とチャンネル入力に加えてジェスチャ入力を行うことができるので、リモコン２では、座標入力、チャンネル入力、およびジェスチャ入力の３通りの処理入力が可能である。もちろん、何れの処理入力を行う場合においても特別な切り替え操作は必要が無い。
【００６０】
〔リモコン２の構成〕
次に、リモコン２のより詳細な構成について図１に基づいて説明する。図１はリモコン２の概略構成を示すブロック図である。図示のように、リモコン２は、タッチパッド５、プッシュＳＷ８、タッチパッドＩ／Ｆ（インターフェイス）９、制御部（命令生成手段、移動軌跡認識処理手段）１０、記憶部１１、ＩＲ制御部（送信部）１２、およびＩＲ発信部６を備えている。
【００６１】
タッチパッド５は、その表面（リモコン２外部に露出している面）に指などが接触した場合に、タッチパッド５上のどの位置に接触があったのかを検知し、検知結果をタッチパッドＩ／Ｆ９に送る。
【００６２】
具体的には、タッチパッド５は、その表面に指などが触れることにより内部の電荷量が変化することを検出し、これによってタッチパッド５上の指などの動きを検出する、静電容量式のタッチパッドであることを想定している。
【００６３】
なお、タッチパッド５は、ペンなどの接触を、圧力を利用して検出する感圧式であってもよく、特に限定はされない。また、タッチパッド５の代わりに、液晶表示パネル等を用いたタッチパネルを用いてもよい。
【００６４】
プッシュＳＷ８は、押下されたときに、プッシュＳＷ８が押下されたことを示す信号を制御部１０に送信する。また、プッシュＳＷ８は、タッチパッド５と連動している。すなわち、タッチパッド５が押下された場合にプッシュＳＷ８は押下された状態となり、タッチパッド５を押下していない場合にはプッシュＳＷ８は押下されていない状態となる。
【００６５】
タッチパッドＩ／Ｆ９は、タッチパッド５に入力された信号を座標データに変換して制御部１０に送る。なお、座標データとは、タッチパッド５に接触している指の位置を座標値で示すデータである。
【００６６】
制御部１０は、タッチパッド５およびプッシュＳＷ８から送られる、座標データおよびプッシュＳＷ８が押下されたことを示す信号に基づいて、放送受信装置３に所定の動作を実行させる動作コマンドを生成する。生成した動作コマンドはＩＲ制御部１２に送られてＩＲ信号パターンに変換される。
【００６７】
また、制御部１０は、タッチパッド５への座標入力がジェスチャ入力であるか否かを判定し、ジェスチャ入力である場合には、座標入力されたジェスチャパターンに対応する処理を放送受信装置３に実行させる動作コマンドを生成する。
【００６８】
記憶部１１は、制御部１０で使用されるデータやプログラム等を格納している。また、入力エリアデータ格納部１３、移動軌跡格納部１４、およびジェスチャパターン格納部１５を備えている。
【００６９】
入力エリアデータ格納部１３には、入力エリアの座標割り当てとその入力エリアに対応する動作コマンドとが対応付けて格納されている。この例では、ある座標値から別の座標値までの範囲に含まれる座標は、入力エリア（１）に対応する…、というように入力エリアの座標が割り当てられている。
【００７０】
また、この場合、入力エリアに対応する動作コマンドはチャンネルの切り替えである。例えば、入力エリア（１）に対応する動作コマンドは、「チャンネルを１に切り替える」旨の命令となる。
【００７１】
なお、各入力エリアに割り当てる動作コマンドはチャンネル切り替えに限られない。例えば、放送受信装置３の音量調節を行うための入力エリアを設け、その入力エリアに対応する動作コマンドを「音量アップ」や「音量ダウン」としてもよい。また、「インターネットに接続する」等のＰＣへの動作命令を動作コマンドとしてもよい。
【００７２】
もちろん、タッチパッド５における入力エリアの分割方法は、図２等に示すような１２分割に限られない。必要な動作コマンドの数にあわせて入力エリアを配分し、対応する動作コマンドと共に、入力エリアデータ格納部１３に記録しておけばよい。
【００７３】
移動軌跡格納部１４は、タッチパッド５に入力された入力座標の軌跡を格納する。すなわち、移動軌跡格納部１４には、タッチパッド５に指が触れてから離れるまでの間における座標データの推移が記録される。
【００７４】
ジェスチャパターン格納部１５は、ジェスチャパターンとそのジェスチャパターンに対応する動作コマンドとを互いに対応付けた状態で格納している。すなわち、制御部１０は、移動軌跡格納部１４に格納されている入力座標の軌跡と、ジェスチャパターン格納部１５に格納されているジェスチャパターンとを対比することにより、ジェスチャ入力に対応する動作コマンドを判定することができる。
【００７５】
ＩＲ制御部１２は、制御部１０から送られる座標データや、制御部１０が生成した動作コマンドをＩＲ信号パターンに変換し、該ＩＲ信号パターンをＩＲ発信部６に送る。ＩＲ発信部６は、図示しない発光素子を備えており、この発光素子がＩＲ制御部１２から送られるＩＲ信号パターンに従って発光する。これにより、ＩＲ信号が生成され、生成されたＩＲ信号がＩＲ発信部６から放送受信装置３へと送信される。
【００７６】
〔チャンネル切り替え動作〕
次に、リモコン２で放送受信装置３のチャンネルを切り替える場合の動作の概略を図４に基づいて説明する。同図（ａ）はチャンネル切り替え動作の一例を示す図であり、同図（ｂ）は同図（ａ）のチャンネル切り替え動作の結果が表示された状態を示す図である。
【００７７】
同図（ａ）に示すように、放送受信装置３のＴＶ画面には、ＣＨ（チャンネル）６が表示されている。同図（ａ）では、ＣＨ６が表示されている状態で、リモコン２のタッチパッド５に指を触れ、タッチパッド５の入力エリア（１２）に指を触れた状態でタッチパッド５を押下する様子を示している。
【００７８】
そして、同図（ｂ）に示すように、タッチパッド５の入力エリア（１２）に指を触れた状態でタッチパッド５を押下することにより、放送受信装置３のＴＶ画面には、ＣＨ１２が表示されることになる。
【００７９】
このチャンネル切り替え動作におけるリモコン２の各部の動作について説明する。上述のように、タッチパッド５に指を触れると指を触れた位置の座標データが制御部１０に送られる。また、タッチパッド５を押下することによってプッシュＳＷ８が連動して押下され、プッシュＳＷ８から、押下があったことを示す信号が制御部１０に送られる。
【００８０】
すなわち、タッチパッド５に指を触れた状態でタッチパッド５を押下した場合、制御部１０には、指が触れている位置の座標データが送られているところに、さらにプッシュＳＷ８の押下があったことを示す信号が送られてくることになる。
【００８１】
制御部１０は、プッシュＳＷ８の押下があったことを示す信号を受け取ると、記憶部１１の入力エリアデータ格納部１３を参照し、指が触れている位置の座標データに対応する入力エリアを探す。そして、指が触れている位置の座標データが含まれる入力エリアに対応する動作コマンドを生成する。
【００８２】
図４の例では、制御部１０は、入力エリアデータ格納部１３を参照することによって、タッチパッド５から受け取った座標データが入力エリア（１２）に含まれていることを検出し、入力エリア（１２）に対応する処理、すなわちチャンネルを１２に切り替える動作を放送受信装置３に指示するための動作コマンドを生成する。なお、以下の説明では、チャンネルを切り替えるための動作コマンドをＣＨキーと呼ぶことがある。
【００８３】
制御部１０が生成した動作コマンド、すなわちＣＨキーは、ＩＲ制御部１２およびＩＲ発信部６によってＩＲ信号に変換され、放送受信装置３に送られる。そして、放送受信装置３では、受信したＩＲ信号を復号し、復号して得られた動作コマンドに従って処理を行う。すなわち、図４の例では、チャンネルを１２に切り替える処理が行われ、これによって、表示されるチャンネルがＣＨ１２へと切り替わる（図４（ｂ）参照）。
【００８４】
〔座標入力動作１〕
次に、リモコン２で座標入力を行う場合の動作の概略を説明する。図５（ａ）は座標入力動作の一例を示す図であり、同図（ｂ）は同図（ａ）の座標入力の結果が表示された状態を示す図である。
【００８５】
図５（ａ）に示すように、放送受信装置３のＰＣ画面の左下にカーソルが表示されている。ここで、リモコン２のタッチパッド５に指を触れ、タッチパッド５に触れた状態で指を右上へと移動させると、リモコン２から指の軌跡を示す座標データが放送受信装置３に送信される。すると、同図（ｂ）に示すように、放送受信装置３のＰＣ画面のカーソルが同図（ａ）における指の軌跡に対応して画面右上へと移動する。
【００８６】
ここで、リモコン２で座標入力を行うときのプッシュＳＷ８は図３（ａ）に示すような状態、すなわちプッシュＳＷ８は押下されていない状態である。つまり、リモコン２では、プッシュＳＷ８を押下しない程度の押圧でタッチパッド５に触れることによって座標入力を行うことができる。
【００８７】
座標入力動作におけるリモコン２の各部の動作について説明する。すでに説明したように、タッチパッド５に触れると、制御部１０にはタッチパッド５上で指が触れている位置を示す座標データが送られる。
【００８８】
ここで、制御部１０は、プッシュＳＷ８の押下があったことを示す信号を受け取っておらず、座標データのみを受け取った場合、受け取った座標データをそのままＩＲ制御部１２に渡す。
【００８９】
ＩＲ制御部１２およびＩＲ発信部６は、受け取った座標データをＩＲ信号に変換し、放送受信装置３へと送信する。放送受信装置３は、このＩＲ信号を受信、復号して得られた座標データに基づいて処理を行う。すなわち、図５の例では、放送受信装置３は、カーソルを画面右上へと移動させる（図５（ｂ）参照）。
【００９０】
〔座標入力動作２〕
また、図６に示すように、リモコン２から座標入力し、ＰＣ画面に表示されている選択領域を移動させてＰＣを操作することもできる。同図（ａ）では、ＰＣ画面上において、塗りつぶされている文字列（あいうえお）が選択されている文字列、すなわち選択領域を示している。
【００９１】
ここで、タッチパッド５に触れ、タッチパッド５に触れた状態で指を下方へと移動させることにより、同図（ｂ）に示すように、選択領域を下方へと移動させることができ、これにより選択する文字列を「さしすせそ」へと変更することができる。
【００９２】
〔ジェスチャ入力動作〕
続いて、リモコン２でジェスチャ入力を行う場合の動作の概略を説明する。ジェスチャ入力時のリモコン２の動作説明に先立ち、まずジェスチャ入力を可能にするジェスチャ入力機能について説明する。ジェスチャ入力機能とは、所定のパターンの座標入力がなされたときに、その所定のパターンに対応付けられた動作を実行させる機能であり、ジェスチャ入力とは、上記所定のパターンの座標入力を指す。リモコン２では、タッチパッド５を用いてこのジェスチャ入力を行う。ジェスチャ入力機能を用いることで、様々な動作の指示を簡単な座標入力によって行うことができるので利便性が高い。
【００９３】
ここでは、ジェスチャパターンが「ｙ」の字の形状であり、ジェスチャパターン「ｙ」に対応する動作が、所定のホームページを表示する動作である場合の例を図７に基づいて説明する。図７（ａ）はジェスチャ入力動作とジェスチャ入力によって表示されるＰＣ画面の一例を示す図であり、同図（ｂ）は同図（ａ）のジェスチャ入力の結果が表示された状態を示す図である。なお、リモコン２でジェスチャ入力を行う場合、座標入力時と同様に、プッシュＳＷ８は押下されていない状態である（図３（ａ）参照）。
【００９４】
図７（ａ）のリモコン２の図では、タッチパッド５に指が触れた位置、および指がタッチパッド５から離れた位置をそれぞれ白抜き矢印Ｔ１およびＴ２で示している。また、矢印Ｌは指の軌跡を示している。すなわち、同図（ａ）では、位置Ｔ１でタッチパッド５に触れ、触れた指をタッチパッド５から離さずに、「ｙ」の字を描くように移動させ、位置Ｔ２でタッチパッド５から指を離す様子を示している。
【００９５】
上述のように、タッチパッド５に触れることにより、タッチパッド５上の指の位置が座標データとして放送受信装置３に送られる。したがって、タッチパッド５に「ｙ」の字を描いた場合、ＰＣ画面上ではカーソルが「ｙ」の字の軌跡を描く。同図では、カーソルの移動軌跡を点線Ｌ’で示している。
【００９６】
位置Ｔ２でタッチパッド５から指を離した後のＰＣ画面の表示例が図７（ｂ）である。図示のように、ＰＣ画面上にジェスチャ入力「ｙ」に対応するホームページが表示されている。
【００９７】
ジェスチャ入力動作におけるリモコン２の各部の動作について説明する。上述のように、タッチパッド５に触れてから離れるまでの指の軌跡は、移動軌跡格納部１４に格納される。
【００９８】
制御部１０は、タッチパッドから指が離れたことを検出すると、移動軌跡格納部１４に格納されている指の軌跡と、ジェスチャパターン格納部１５に格納されているジェスチャパターンとを対比し、そのパターンが略一致するものを探す。
【００９９】
ここでは、図７（ａ）に示すように、「ｙ」の字状の座標入力がなされたことを想定しているので、制御部１０は、入力された座標の軌跡が、ジェスチャパターン格納部１５に格納されているジェスチャパターン「ｙ」に略一致していることを検出する。
【０１００】
そして、制御部１０は、ジェスチャパターン「ｙ」に対応する動作コマンド、すなわち、「所定のホームページを表示する」という動作コマンドを生成し、これをＩＲ制御部１２に送る。
【０１０１】
ＩＲ制御部１２およびＩＲ発信部６は、受け取った動作コマンドをＩＲ信号に変換し、放送受信装置３へと送信する。放送受信装置３は、このＩＲ信号を受信、復号して得られた動作コマンドに基づいて処理を行う。すなわち、図７の例では、放送受信装置３は、所定のホームページを表示する（図７（ｂ）参照）。
【０１０２】
なお、ジェスチャパターンは「ｙ」のようなアルファベットに限らず、文字や記号、数字など、様々なパターンを適用することができる。例えば、ジェスチャパターンを数字の「２」の形状とし、このジェスチャパターンに対応する動作を「チャンネルを２に変更する」動作としてもよい。この場合、タッチパッド５に「２」の字を描くことによってチャンネルが２に切り替わることになる。
【０１０３】
〔ジェスチャ入力動作の変形例〕
ところで、図７の例では、ジェスチャ入力を行うときに、放送受信装置３のＰＣ側の表示画面では、カーソルが移動するのみで入力された座標の軌跡は表示されない。したがって、送受信システム１のユーザは、どのような入力がなされているかが把握し難く、それゆえ正確なジェスチャ入力を行うことが難しいと感じることも考えられる。
【０１０４】
このような場合、通常の座標入力を行うときと、ジェスチャ入力を行うときとで処理の切り替えを行い、ジェスチャ入力の場合は、ユーザがどのような座標入力を行っているのかを画面表示するように構成すればよい。
【０１０５】
例えば、タッチパッド５をダブルクリックすることによって、ジェスチャ入力を行うジェスチャ入力モードに切り替えることが考えられる。ここで、ダブルクリックとは、タッチパッド５を短い時間間隔で２回触れる動作を指す。ただし、このダブルクリックは、プッシュＳＷ８が押下されない程度の押圧で行うものとする。
【０１０６】
そして、例えば、ジェスチャ入力モード時に入力された座標の軌跡を放送受信装置３に画面表示させればよい。これにより、ユーザは、どのような座標が入力されているのかを視認しながらジェスチャ入力を行うことができるため、容易かつ正確にジェスチャ入力を行うことができる。
【０１０７】
〔リモコン２における処理の流れ〕
続いて、リモコン２における処理の流れについて図８に基づいて説明する。図８は、リモコン２で行われる処理の一例を示すフローチャートである。まず、リモコン２のユーザがタッチパッド５に触れると、タッチパッド５における電荷の変化がタッチパッドＩ／Ｆ９へと伝達される。
【０１０８】
そして、タッチパッドＩ／Ｆ９は、タッチパッド５から伝達される電荷の変化に基づいて、タッチパッド５上において接触があった位置を示す座標データを制御部１０に送る。制御部１０は、受け取った座標データをＩＲ制御部１２に送り、ＩＲ制御部１２は、この座標データをＩＲ信号に変換し、このＩＲ信号をＩＲ発信部６から放送受信装置３へと送信する（Ｓ１）。
【０１０９】
ここで、制御部１０は、プッシュＳＷ８から、該プッシュＳＷ８が押下されたことを示す信号を受け取ったか否かを確認する（Ｓ２）。プッシュＳＷ８の押下が検出された場合、制御部１０は、入力エリアデータ格納部１３を参照し、プッシュＳＷ８の押下が検出されたときの座標データから、タッチパッド５の入力エリアを割り出す。
【０１１０】
そして、制御部１０は、割り出した入力エリアに対応する動作コマンドを入力エリアデータ格納部１３から読み出してＩＲ制御部１２に送る。この例では、入力エリアに対応するチャンネルに切り替える旨の動作コマンド、すなわちＣＨキーがＩＲ制御部１２に送られる。そして、ＣＨキーを受信した放送受信装置３は、表示するチャンネルを、受信したＣＨキーに対応するチャンネルへと切り替える。
【０１１１】
ＩＲ制御部１２は、このＣＨキーをＩＲ信号に変換し、このＩＲ信号をＩＲ発信部６から放送受信装置３へと送信する（Ｓ３）。そして、ＣＨキーを送信した後、制御部１０は、再度タッチパッド５上の指の位置を座標データとして送信する、すなわち処理はＳ１に戻る。
【０１１２】
一方、プッシュＳＷ８の押下が検出されない場合、制御部１０は、タッチパッド５から指が離れたか否かを確認し（Ｓ４）、指が離れていない場合は再度Ｓ１に戻る。すなわち、リモコン２では、ユーザがタッチパッド５に触れている間は、タッチパッド５上の指の位置を座標データとして放送受信装置３に送信し続ける。このとき、座標データを受信した放送受信装置３は、受信した座標データに従って、カーソルを移動させる等の処理を行う。
【０１１３】
Ｓ４で指が離れていることを検出した場合、制御部１０は、記憶部１１の移動軌跡格納部１４からＳ１〜Ｓ５までの処理の間に移動した指の移動軌跡を読み出し、この移動軌跡をジェスチャパターン格納部１５から読み出したジェスチャパターンと順次対比してゆき、一致するジェスチャパターンの有無を調べる（Ｓ５）。
【０１１４】
なお、ここでは、制御部１０は、タッチパッド５から制御部１０への座標データ送信が途絶えたときに、タッチパッド５から指が離れたことを検出することを想定している。
【０１１５】
Ｓ５で一致するジェスチャパターンが見つかった場合、制御部１０は、そのジェスチャパターンに対応する動作コマンドをジェスチャパターン格納部１５から読み出し、読み出した動作コマンドをＩＲ制御部１２に送る。ＩＲ制御部１２は、受け取った動作コマンドをＩＲ信号に変換し、ＩＲ発信部６から放送受信装置３へと送信する（Ｓ６）。
【０１１６】
動作コマンドをＩＲ制御部１２に送った後、制御部１０は処理を終了し、処理終了後、制御部１０はタッチパネルや電源ボタン７７への接触を待つ待機状態となる。そして、動作コマンドを受信した放送受信装置３は、受信した動作コマンドに対応する動作を実行する。
【０１１７】
一方、Ｓ５で一致するジェスチャパターンが見つからなかった場合、制御部１０はそのまま処理を終了する。処理終了後、制御部１０は、タッチパネルや電源ボタン７への接触を待つ待機状態となる。
【０１１８】
〔リモコン２で行われる処理の変形例〕
ここで、図８のフローチャートにおける、Ｓ１〜Ｓ４の工程の変形例について説明する。図８のフローチャートでは、Ｓ３にてＣＨキーを送信した後、すぐにＳ１に戻って座標データの送信を行う例を示した。
【０１１９】
ところで、テレビのチャンネル切り替えを行う場合、チャンネルを連続して切り替えることが考えられる。このような場合、ユーザがタッチパッド５に指を触れたまま、あるチャンネルから別のチャンネルへと切り替えることが予想される。
【０１２０】
ここで、図８のフローチャートでは、Ｓ３でＣＨキー送信した後、すぐにＳ１に戻って座標データの送信を行う。したがって、タッチパッド５に指を触れたまま、連続してチャンネル切り替えを行う場合に、ユーザがチャンネル切り替えを意図しているにもかかわらず、チャンネル切り替えの合間に座標データが送信されてしまう。そして、座標データが送信されることによって、ＰＣ画面上のカーソルが移動する等のユーザの意図しない処理が行われることになる。
【０１２１】
このことを解消するために、例えば、ＣＨキーを送信した後一定の時間は、座標データを送信しないようにすればよい。具体的には、図８のフローチャートにおいて、Ｓ３でＣＨキーを送信した後一定の時間は、Ｓ１をとばしてＳ２へ進むようにすればよい、これにより、連続してチャンネル切り替えを行う場合に座標データが送信されてユーザの意図しない動作が行われることを防ぐことができる。
【０１２２】
なお、上述の例では、ユーザがタッチパッド５を押下したことをプッシュＳＷ８によって検出する例を示したが、この例に限られない。要は、タッチパッド５に加えられた押圧を検出し、その検出結果を制御部１０に送信できるような構成であれば良い。例えば、プッシュＳＷ８の代わりに押圧を検出する感圧センサをタッチパッド５の下部（リモコン２の内部側）に設け、ユーザがタッチパッド５を押下したことを検出しても良い。
【０１２３】
〔実施の形態２〕
本発明の他の実施形態について図９〜図１１に基づいて説明する。なお、上述の実施形態と同一の機能を有する部材については、同一の符号を付し、その説明を省略する。
【０１２４】
上述の送受信システム１は、リモコン２が動作コマンドを生成して送信し、放送受信装置３がこの動作コマンドに従って動作を行う構成である。これに対し、本実施形態の送受信システム２１は、放送受信装置２３が動作コマンドの生成を行う構成である。
【０１２５】
〔送受信システム２１の概要〕
図９は、送受信システム２１の概略構成を示すブロック図である。図示のように、送受信システム２１は、リモコン（入力装置）２２および放送受信装置（受信装置）２３を備えている。
【０１２６】
リモコン２２の記憶部２５は、図１に示したリモコン２の記憶部１１と異なり、入力エリアデータ格納部１３、移動軌跡格納部１４、およびジェスチャパターン格納部１５を備えていない。
【０１２７】
送受信システム２１では、入力エリアデータ格納部１３、移動軌跡格納部１４、およびジェスチャパターン格納部１５は、放送受信装置２３の記憶部である放送受信装置記憶部２９が備えている。
【０１２８】
そして、放送受信装置２３の動作を制御する放送受信装置制御部（受信処理手段、移動軌跡認識処理手段）２８が、リモコン２２から送信されるデータに基づいて、チャンネル切り替えの動作コマンド生成処理や、ジェスチャ入力有無の判定や、ジェスチャ入力に対応する動作コマンド生成処理を行う。
【０１２９】
なお、図９では、簡単のため、放送受信装置２３の構成のうち、本発明の特徴点に関わる構成のみを示しているが、実際には、放送受信装置２３は、テレビ放送を受信、表示するための種々の構成、およびＰＣ機能を実現するための種々の構成を備えている。
【０１３０】
続いて、リモコン２２の備える各構成について説明する。制御部２４は、タッチパッド５から送られる座標データをＩＲ制御部１２に送る。また、制御部２４は、プッシュＳＷ８が押下された場合に、プッシュＳＷ８が押下されたことを示す信号をＩＲ制御部１２に送る。
【０１３１】
そして、制御部２４は、タッチパッド５からの座標データの送信が検出されなくなったときに、タッチパッド５から指が離れたことを示す信号を生成し、これをＩＲ制御部１２に送る。リモコン２の制御部１０と比べて、リモコン２２の制御部２４は、非常に簡略な構成となっている。
【０１３２】
記憶部２５は、制御部２４で使用されるプログラムやデータ等を格納している。制御部２４と同様、リモコン２の記憶部１１と比べて簡略な構成となっている。
【０１３３】
すなわち、リモコン２２は、リモコン２と比べて構成が簡略であり、それゆえリモコン２よりも小型化、軽量化、低コスト化が容易である。
【０１３４】
次に、放送受信装置２３の備える各構成について説明する。放送受信装置２３は、ＩＲ受信部２６、ＩＲデコード部２７、放送受信装置制御部２８、および放送受信装置記憶部２９を備えている。
【０１３５】
ＩＲ受信部２６は、リモコン２２が送信するＩＲ信号を受信するものであり、図示しない受光素子を備えている。ＩＲ受信部２６は、受信したＩＲ信号をＩＲデコード部２７に送る。
【０１３６】
ＩＲデコード部２７は、ＩＲ受信部２６から受け取ったＩＲ信号をデコードし、放送受信装置制御部２８が処理可能なデータ形式に変換して放送受信装置制御部２８に送る。
【０１３７】
放送受信装置制御部２８は、ＩＲデコード部２７から受け取ったデータ、すなわちリモコン２２が送信したデータに基づいて所定の動作コマンドを生成する。
【０１３８】
そして、放送受信装置制御部２８は、ＩＲデコード部２７から受け取った座標データや、放送受信装置制御部２８が生成した動作コマンドを、放送受信装置２３が備える各構成（図示せず）に送信して実行させる。これにより、リモコン２２からの指示によって、放送受信装置２３の操作を行うことができる。
【０１３９】
放送受信装置記憶部２９は、放送受信装置制御部２８で使用されるデータやプログラム等を格納している。また、放送受信装置記憶部２９は、入力エリアデータ格納部１３、移動軌跡格納部１４、およびジェスチャパターン格納部１５を備えている。
【０１４０】
〔リモコン２２で行われる処理〕
続いて、リモコン２２で行われる処理の一例について図１０に基づいて説明する。図１０は、リモコン２２で行われる処理の一例を示すフローチャートである。Ｓ１、Ｓ２、Ｓ４は、図８に示した処理と同様の処理であるから説明を省略し、Ｓ１１〜Ｓ１３の処理について詳細に説明する。
【０１４１】
リモコン２２のユーザがタッチパッド５に触れると、タッチパッド５からタッチパッドＩ／Ｆ９を介して接触があった位置の座標データが制御部２４に送られる。制御部２４は、座標データを受け取ると、タッチパッド５に接触があったことを示す信号を生成し、これをＩＲ制御部１２に送る。ＩＲ制御部１２は、この信号をＩＲ信号に変換してＩＲ発信部６から放送受信装置２３へと送信する（Ｓ１１）。
【０１４２】
放送受信装置２３は、タッチパッド５に接触があったことを示す信号の受信をトリガとして処理を開始する。すなわち、タッチパッド５に接触があったことを示す信号を受信することによって、放送受信装置２３は、座標データ等の入力を受け付けることが可能な状態となる。なお、放送受信装置２３における処理の詳細については後述する。
【０１４３】
続いて、制御部２４は、タッチパッド５からタッチパッドＩ／Ｆ９を介して送られてくる座標データを、ＩＲ制御部１２およびＩＲ発信部６を介してＩＲ信号に変換し、放送受信装置２３に送信する（Ｓ１）。そして、制御部２４は、プッシュＳＷ８の押下が検出されたか否かを確認する（Ｓ２）。
【０１４４】
Ｓ２でプッシュＳＷ８の押下が確認された場合、制御部２４は、プッシュＳＷ８が押下されたことを示す信号を生成し、ＩＲ制御部１２およびＩＲ発信部６を介して放送受信装置２３に送信する（Ｓ１２）。
【０１４５】
すなわち、リモコン２では、プッシュＳＷ８の押下が検出された場合、ＣＨキー、すなわち動作コマンドを放送受信装置３に送信していたが（図８のＳ３参照）、リモコン２２では、プッシュＳＷ８が押下されたことを示す信号を放送受信装置２３に送信する。
【０１４６】
Ｓ２でプッシュＳＷ８の押下が検出されず、かつＳ４でタッチパッド５から指が離れたことが検出された場合、制御部２４は、タッチパッド５から指が離れたことを示す信号を生成し、ＩＲ制御部１２およびＩＲ発信部６を介して放送受信装置２３に送信する（Ｓ１３）。
【０１４７】
すなわち、リモコン２では、タッチパッド５から指が離れたことが検出された場合、ジェスチャ入力が行われたか否かを判断していたが（図８のＳ５参照）、リモコン２２では、タッチパッド５から指が離れたことを示す信号を放送受信装置２３に送信する。
【０１４８】
〔放送受信装置２３で行われる処理〕
続いて、図１０に示すリモコン２２の処理に対応して放送受信装置２３で行われる処理について図１１に基づいて説明する。図１１は、放送受信装置２３で行われる処理の一例を示すフローチャートである。
【０１４９】
放送受信装置制御部２８は、リモコン２２が図１０のＳ１１で送信した、タッチパッド５に指が触れたことを示す信号の受信をトリガとして処理を開始する。ここで、リモコン２２は、タッチパッド５に指が触れたことを示す信号に続いて、タッチパッド５に指が触れている位置を示す座標データを放送受信装置２３に送信する。
【０１５０】
上記座標データは、ＩＲ信号に変換されて送信され、このＩＲ信号をＩＲ受信部２６が受信する。そして、ＩＲ信号は、ＩＲデコード部２７でＩＲ信号に変換する前の座標データへとデコードされた後、放送受信装置制御部２８に送られる。
【０１５１】
そして、放送受信装置制御部２８は、受け取った座標データに基づいてＰＣ画面上のカーソルを移動させる等の動作コマンドを生成し、これを放送受信装置２３の図示しないＰＣ動作制御部に送る。これにより、ＰＣ画面上のカーソルが移動する等の動作が実行される（Ｓ２１）。
【０１５２】
ここで、放送受信装置制御部２８は、タッチパッド５から指が離れたことを示す信号を受信したか否かを確認する（Ｓ２２）。タッチパッド５から指が離れたことを示す信号を受信した場合、放送受信装置制御部２８は、放送受信装置記憶部２９の移動軌跡格納部１４に格納されている、Ｓ２１〜Ｓ２２までの間に受信した座標の軌跡を読み出す。
【０１５３】
そして、放送受信装置制御部２８は、読み出した座標の軌跡、すなわち指の移動軌跡がジェスチャパターン格納部１５のジェスチャパターンと一致するか否か、順次調べてゆく（Ｓ２５）。
【０１５４】
一致するジェスチャパターンが見つかった場合、放送受信装置制御部２８は、一致したジェスチャパターンに対応する動作コマンドを生成する。そして、この動作コマンドに従って、入力されたジェスチャパターンに対応する動作が行われることになる（Ｓ２６）。一方、座標の軌跡とジェスチャパターンとが一致しない場合は処理を終了する。
【０１５５】
すなわち、図１１のフローチャートにおいて、Ｓ２５〜Ｓ２６の処理では、放送受信装置制御部２８は、タッチパッド５への座標入力をジェスチャパターンとして認識し、当該ジェスチャパターンに対応する動作コマンドを生成するパターン認識処理手段として機能している。
【０１５６】
Ｓ２２でタッチパッド５から指が離れたことを示す信号を受け取っていない場合、放送受信装置制御部２８は、プッシュＳＷ８が押下されたことを示す信号を受信したか否かを確認する（Ｓ２３）。
【０１５７】
プッシュＳＷ８の押下を示す信号の受信が確認された場合、放送受信装置制御部２８は、入力エリアデータ格納部１３を参照し、プッシュＳＷ８が押下されたときに受信した座標データから、その座標データが属する入力エリアを割り出す。そして、放送受信装置制御部２８は、割り出した入力エリアに対応する動作コマンドを読み出して適所に送る。
【０１５８】
この場合、入力エリア（１）〜（１２）には、それぞれ１〜１２のチャンネルに切り替えるという動作コマンドが割り当てられている。したがって、検出した入力エリアに対応するチャンネルへの切り替え指示が、図示しないチューナーに送られることによってチャンネルの切り替えが行われる（Ｓ２４）。
【０１５９】
そして、チャンネル切り替え後、放送受信装置制御部２８は、再度Ｓ２１に戻ってリモコン２２から送信される座標データに従って画面に表示されているカーソルを移動させる等の処理を行う。
【０１６０】
また、放送受信装置制御部２８は、Ｓ２３でプッシュＳＷ８が押下されたことを示す信号を受信していない場合も、再度Ｓ２１に戻り、リモコン２２から送信される座標データに従って画面に表示されているカーソルを移動させる等の処理を行う。
【０１６１】
〔放送受信装置２３で行われる処理の変形例〕
ここで、図１１のフローチャートにおけるＳ２１〜Ｓ２４の工程の変形例について説明する。図１１のフローチャートでは、Ｓ２３でプッシュＳＷ８の押下を示す信号を受信した場合、Ｓ２４でチャンネル切り替えを行い、チャンネル切り替え後、すぐにＳ２１に戻ってカーソルの移動を行う例を示した。
【０１６２】
ここで、チャンネル切り替えを行う場合、チャンネルを連続して切り替えることが考えられる。このような場合、多くのユーザは、タッチパッド５に指を触れたまま、連続して複数のチャンネルに次々と切り替えることが予想される。
【０１６３】
図１１のフローチャートでは、チャンネル切り替え後、すぐにカーソルの移動が行われるので、タッチパッド５に指を触れたまま、連続してチャンネル切り替えを行う場合に、ユーザは、チャンネル切り替えを意図しているにもかかわらず、チャンネル切り替えの合間にカーソルが移動してしまう。
【０１６４】
このことを解消するために、例えば、Ｓ２３でプッシュＳＷ８の押下を示す信号を受信した後、一定の時間は、座標入力を無効とすればよい。これにより、連続してチャンネル切り替えを行う場合に、カーソルが移動する等のユーザの意図しない処理が行われることを防ぐことができる。
【０１６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１６６】
最後に、リモコン２およびリモコン２２、放送受信装置２３の各ブロック、特に制御部１０、制御部２４、および放送受信装置制御部２８は、ハードウェアロジックによって構成してもよいし、次のようにＣＰＵを用いてソフトウェアによって実現してもよい。
【０１６７】
すなわち、リモコン２、リモコン２２、および放送受信装置２３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるリモコン２、リモコン２２、および放送受信装置２３の制御プログラムのプログラムコード（実行形式プログラム、中間コードプログラム、ソースプログラム）をコンピュータで読み取り可能に記録した記録媒体を、上記リモコン２、リモコン２２、あるいは放送受信装置２３に供給し、そのコンピュータ（またはＣＰＵやＭＰＵ）が記録媒体に記録されているプログラムコードを読み出し実行することによっても、達成可能である。
【０１６８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６９】
また、リモコン２、リモコン２２、あるいは放送受信装置２３を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１７０】
本発明によれば、タッチパッドへの座標入力と、タッチパッドを押下することによる動作コマンド入力との２通りの入力処理を特別な切り替え操作なしで行うことができる。したがって、本発明は、リモコンに限らず、ＰＣのタッチパッド等、種々の電子機器の入力装置として適用できる。
【図面の簡単な説明】
【０１７１】
【図１】本発明の実施形態を示すものであり、本発明のリモコンの概略構成を示すブロック図である。
【図２】本発明の実施形態を示すものであり、本発明の送受信システムの概要を示す平面図である。
【図３】上記リモコンの断面の概略構成を示す図であり、同図（ａ）は、タッチパッドに触れているときのプッシュＳＷの状態を示しており、同図（ｂ）は、タッチパッドを押下したときのプッシュＳＷの状態を示している。
【図４】本発明の実施形態を示すものであり、同図（ａ）はチャンネル切り替え動作の一例を示す図であり、同図（ｂ）は同図（ａ）のチャンネル切り替え動作の結果が表示された状態を示す図である。
【図５】本発明の実施形態を示すものであり、同図（ａ）は座標入力動作の一例を示す図であり、同図（ｂ）は同図（ａ）の座標入力の結果が表示された例を示す図である。
【図６】本発明の実施形態を示すものであり、同図（ａ）は座標入力動作の一例を示す図であり、同図（ｂ）は同図（ａ）の座標入力の結果が表示された別の例を示す図である。
【図７】本発明の実施形態を示すものであり、同図（ａ）はジェスチャ入力動作とジェスチャ入力によって表示されるＰＣ画面の一例を示す図であり、同図（ｂ）は同図（ａ）のジェスチャ入力の結果が表示された状態を示す図である。
【図８】本発明の実施形態を示すものであり、上記リモコンで行われる処理の一例を示すフローチャートである。
【図９】本発明の実施形態を示すものであり、上記とは別の送受信システムの概略構成を示すブロック図である。
【図１０】本発明の実施形態を示すものであり、上記送受信システムにおけるリモコンの処理の一例を示すフローチャートである。
【図１１】本発明の実施形態を示すものであり、上記送受信システムにおける放送受信装置の処理の一例を示すフローチャートである。
【図１２】従来技術を示すものであり、従来のノート型ＰＣの外観を示す図である。
【図１３】従来技術を示すものであり、上記ノート型ＰＣのタッチパッドの形態を示す図である。
【符号の説明】
【０１７２】
１    送受信システム
２    リモコン（入力装置）
３    放送受信装置
５    タッチパッド（第１入力部）
６    ＩＲ発信部
８    プッシュＳＷ（第２入力部）
９    タッチパッドＩ／Ｆ
１０    制御部（命令生成手段、移動軌跡認識処理手段）
１１    記憶部
１２    ＩＲ制御部（送信部）
１３    入力エリアデータ格納部
１４    移動軌跡格納部
１５    ジェスチャパターン格納部
２１    送受信システム
２２    リモコン（入力装置）
２３    放送受信装置（受信装置）
２４    制御部
２５    記憶部
２６    ＩＲ受信部
２７    ＩＲデコード部
２８    放送受信装置制御部（受信処理手段、移動軌跡認識処理手段）
２９    放送受信装置記憶部
【図１】
2008140182.tif 000003
【図２】
2008140182.tif 000004
【図３】
2008140182.tif 000005
【図４】
2008140182.tif 000006
【図５】
2008140182.tif 000007
【図６】
2008140182.tif 000008
【図７】
2008140182.tif 000009
【図８】
2008140182.tif 000010
【図９】
2008140182.tif 000011
【図１０】
2008140182.tif 000012
【図１１】
2008140182.tif 000013
【図１２】
2008140182.tif 000014
【図１３】
2008140182.tif 000015